(57)【要約】【課題】搭乗者がより快適と感じる遮光制御を行う車両用サンバイザを提供する。【解決手段】車両用サンバイザは、サンバイザ本体１１を備える遮光装置と、入射光の入射強度及び入射角度を検出して入射光検出信号を出力する受光センサ５と、入射光検出信号の検出情報に基づいて遮光装置による遮光制御を行う制御装置とを備えている。制御装置は、サンバイザ本体１１を突出させる突出動作と、サンバイザ本体１１を退避させる退避動作とのそれぞれの動作において、サンバイザ本体１１の動作速度を変化させる遮光制御を行う。即ち、動作開始から動作終了までの期間において、制御装置は、動作終了手前から次第に動作速度を小さくして動作を終了するようにサンバイザ本体１１を動作させて遮光制御を行う。【選択図】      図２
2005132148.tif 000002
【特許請求の範囲】
【請求項１】
所定角度範囲に入射する入射光を遮るためのサンバイザ本体を突出及び退避する遮光装置と、
前記所定角度範囲に入射する前記入射光の上下左右の入射角度及び入射強度を検出するための信号を出力する受光センサと、
前記受光センサが出力する信号に基づいて前記入射光の上下左右の入射角度及び入射強度を検出し、その検出情報に基づいて前記遮光装置によって前記入射光を遮る遮光制御を行う制御装置と
を備えた車両用サンバイザ装置であって、
前記制御装置は、突出動作及び退避動作の少なくとも一方において、動作開始から動作終了までの期間の動作速度を変化させて前記遮光制御を行うことを特徴とする車両用サンバイザ装置。
【請求項２】
所定角度範囲に入射する入射光を遮るためのサンバイザ本体を突出及び退避する遮光装置と、
前記所定角度範囲に入射する前記入射光の上下左右の入射角度及び入射強度を検出するための信号を出力する受光センサと、
前記受光センサが出力する信号に基づいて前記入射光の上下左右の入射角度及び入射強度を検出し、その検出情報に基づいて前記遮光装置によって前記入射光を遮る遮光制御を行う制御装置と
を備えた車両用サンバイザ装置であって、
前記制御装置は、突出動作と退避動作との動作速度が異なるように前記遮光制御を行うことを特徴とする車両用サンバイザ装置。
【請求項３】
所定角度範囲に入射する入射光を遮るためのサンバイザ本体を突出及び退避する遮光装置と、
前記所定角度範囲に入射する前記入射光の上下左右の入射角度及び入射強度を検出するための信号を出力する受光センサと、
前記受光センサが出力する信号に基づいて前記入射光の上下左右の入射角度及び入射強度を検出し、その検出情報に基づいて前記遮光装置によって前記入射光を遮る遮光制御を行う制御装置と
を備えた車両用サンバイザ装置であって、
前記制御装置は、前記入射光の上下方向の入射角度の変化による突出動作と前記入射光の左右方向の入射角度の変化による突出動作との動作速度が異なるような前記遮光制御、及び前記入射光の上下方向の入射角度の変化による退避動作と前記入射光の左右方向の入射角度の変化による退避動作との動作速度が異なるような前記遮光制御のうち少なくとも一方の前記遮光制御を行うことを特徴とする車両用サンバイザ装置。
【請求項４】
請求項１乃至３のいずれか１項に記載の車両用サンバイザ装置であって、
搭乗者の操作に基づいて前記動作速度の変更を行うための速度調節手段を備えることを特徴とする車両用サンバイザ装置。
【請求項５】
請求項１乃至４のいずれか１項に記載の車両用サンバイザ装置であって、
前記遮光装置には、突出動作を開始するための突出動作条件、及び退避動作を開始するための退避動作条件が設定されており、所定の判定時間内で連続して所定時間以上、若しくは所定の判定時間内で合計して所定の割合の時間以上、前記突出動作条件及び退避動作条件を満たした場合に前記突出動作及び前記退避動作が行われることを特徴とする車両用サンバイザ装置。
【請求項６】
請求項５に記載の車両用サンバイザ装置であって、
搭乗者の操作に基づいて前記判定時間の変更を行うための時間設定手段を備えることを特徴とする車両用サンバイザ装置。
【発明の詳細な説明】
【技術分野】
【０００１】
本発明は車室内への所定強度以上の入射光、例えば直射日光を自動で遮るように作動する車両用サンバイザ装置に関するものである。
【背景技術】
【０００２】
一般的に、車両の運転席及び助手席の上方位置には、車室内へ入射する直射日光等の入射光を遮るためのサンバイザ装置が設けられている。サンバイザ装置には、特許文献１にて開示されているように、サンバイザ装置の遮光制御を自動で行っているものもある。特許文献１にて開示されているサンバイザ装置（文献中では車両用自動サンバイザとしている）は、適所に取り付け固定されるケース本体を備え、該ケース本体に第１の受光センサと第２の受光センサとが上下方向に一定間隔開いて配備されている。さらに、ケース本体には該ケース本体から出没可能なサンバイザ本体（文献中では遮光板としている）、該サンバイザ本体の出没を駆動する駆動機構、及び該駆動機構に駆動力を付与するモータが収容されている。また、このサンバイザ装置は、前記第１の受光センサの受光若しくは非受光の出力に応答して、モータを正転若しくは逆転とする第１の駆動制御回路と、前記第２の受光センサの受光若しくは非受光の出力に応答して前記モータを駆動若しくは停止とする第２の駆動制御回路とを備えている。さらに、サンバイザ装置は、第１及び第２の受光センサが共に非受光の出力をした場合に、モータを強制的に駆動とする第３の駆動制御回路を備えている。
【０００３】
このようなサンバイザ装置は、車両の運転席及び助手席の上方位置に取り付けられる。そして、サンバイザ装置は、入射光の入射線と搭乗者の目線とを結ぶ線上に第２の受光センサが位置するように調整される。下側の第１の受光センサと上側の第２の受光センサとの両方が入射光を受光すると、これらの受光出力に応答して、第１の駆動制御回路はモータを正転とし、第２の駆動制御回路はモータを駆動とし、モータが正転駆動される。これにより、突出動作としてサンバイザ本体がケース本体から外方へ突出されて遮光状態となる。
【０００４】
また、サンバイザ本体が突出した状態において、第１及び第２の受光センサの両方ともが受光しなくなると、これらの出力に応答して第３の駆動制御回路がモータを強制的に駆動する。また、第１の受光センサの非受光出力に応答して第１の駆動制御回路がモータを逆転とするため、モータは逆転駆動される。これにより、退避動作としてサンバイザ本体がケース本体内部へ後退される。
【特許文献１】特許第３１０３２７０号公報
【発明の開示】
【発明が解決しようとする課題】
【０００５】
しかしながら、特許文献１にて開示されているサンバイザ装置は、受光センサの出力に応答して駆動制御回路がサンバイザ本体の突出動作及び退避動作を制御しているが、単に突出動作及び退避動作を行っているだけで、搭乗者にとって快適性を向上するといった記載は何も示されていない。
【０００６】
本発明は、こうした実情に鑑みてなされたものであって、その目的は、搭乗者がより快適と感じる遮光制御を行う車両用サンバイザを提供することにある。
【課題を解決するための手段】
【０００７】
上記課題を解決するため、請求項１に記載の発明は、所定角度範囲に入射する入射光を遮るためのサンバイザ本体を突出及び退避する遮光装置と、前記所定角度範囲に入射する前記入射光の上下左右の入射角度及び入射強度を検出するための信号を出力する受光センサと、前記受光センサが出力する信号に基づいて前記入射光の上下左右の入射角度及び入射強度を検出し、その検出情報に基づいて前記遮光装置によって前記入射光を遮る遮光制御を行う制御装置とを備えた車両用サンバイザ装置において、前記制御装置は、突出動作及び退避動作の少なくとも一方において、動作開始から動作終了までの期間の動作速度を変化させて前記遮光制御を行う。
【０００８】
請求項２に記載の発明は、所定角度範囲に入射する入射光を遮るためのサンバイザ本体を突出及び退避する遮光装置と、前記所定角度範囲に入射する前記入射光の上下左右の入射角度及び入射強度を検出するための信号を出力する受光センサと、前記受光センサが出力する信号に基づいて前記入射光の上下左右の入射角度及び入射強度を検出し、その検出情報に基づいて前記遮光装置によって前記入射光を遮る遮光制御を行う制御装置とを備えた車両用サンバイザ装置において、前記制御装置は、突出動作と退避動作との動作速度が異なるように前記遮光制御を行う。
【０００９】
請求項３に記載の発明は、所定角度範囲に入射する入射光を遮るためのサンバイザ本体を突出及び退避する遮光装置と、前記所定角度範囲に入射する前記入射光の上下左右の入射角度及び入射強度を検出するための信号を出力する受光センサと、前記受光センサが出力する信号に基づいて前記入射光の上下左右の入射角度及び入射強度を検出し、その検出情報に基づいて前記遮光装置によって前記入射光を遮る遮光制御を行う制御装置とを備えた車両用サンバイザ装置において、前記制御装置は、前記入射光の上下方向の入射角度の変化による突出動作と前記入射光の左右方向の入射角度の変化による突出動作との動作速度が異なるような前記遮光制御、及び前記入射光の上下方向の入射角度の変化による退避動作と前記入射光の左右方向の入射角度の変化による退避動作との動作速度が異なるような前記遮光制御のうち少なくとも一方の前記遮光制御を行う。
【００１０】
請求項４に記載の発明は、請求項１乃至３のいずれか１項に記載の車両用サンバイザ装置において、搭乗者の操作に基づいて前記動作速度の変更を行うための速度調節手段を備える。
【００１１】
請求項５に記載の発明は、請求項１乃至４のいずれか１項に記載の車両用サンバイザ装置において、前記遮光装置には、突出動作を開始するための突出動作条件、及び退避動作を開始するための退避動作条件が設定されており、所定の判定時間内で連続して所定時間以上、若しくは所定の判定時間内で合計して所定の割合の時間以上、前記突出動作条件及び退避動作条件を満たした場合に前記突出動作及び前記退避動作が行われる。
【００１２】
請求項６に記載の発明は、請求項５に記載の車両用サンバイザ装置において、搭乗者の操作に基づいて前記判定時間の変更を行うための時間設定手段を備える。
（作用）
請求項１に記載の発明によれば、制御装置は、突出動作及び退避動作の少なくとも一方において、動作開始から動作終了までの期間の動作速度を変化させて遮光制御を行うため、搭乗者はより快適な遮光制御を得ることができる。
【００１３】
請求項２に記載の発明によれば、制御装置は、突出動作と退避動作とが異なる動作速度となるように遮光制御が行われるため、搭乗者はより快適な遮光制御を得ることができる。
【００１４】
請求項３に記載の発明によれば、制御装置は、入射光の上下方向の入射角度の変化による突出動作と左右方向の角度変化による突出動作との動作速度が異なるような遮光制御、及び入射光の上下方向の入射角度の変化による退避動作と左右方向の入射角度の変化による退避動作との動作速度が異なるような遮光制御のうち少なくとも一方を行う。従って、搭乗者はより快適な遮光制御を得ることができる。
【００１５】
請求項４に記載の発明によれば、車両用サンバイザ装置は、搭乗者の操作に基づいて動作速度の変更を行うための速度調節手段を備えているため、搭乗者は搭乗者の好みに合わせて動作速度の変更を行うことができる。従って、搭乗者は搭乗者の好みに合ったより快適な遮光制御を得ることができる。
【００１６】
請求項５に記載の発明によれば、制御装置には、突出動作条件及び退避動作条件が設定されている。従って、設定された突出動作条件及び退避動作条件を所定の判定時間内で連続して所定時間以上、若しくは所定の判定時間内で合計して所定の割合の時間以上満たした場合のみ、突出動作及び退避動作が行われる。その結果、車両の振動や木漏れ日、さらには建築物等の影響により入射強度が頻繁に変化する場合でも、突出動作及び退避動作が頻繁に繰り返されて搭乗者に不快感を与えることが防止される。
【００１７】
請求項６に記載の発明によれば、車両用サンバイザ装置は、搭乗者の操作に基づいて判定時間の変更を行うための時間設定手段を備えているため、搭乗者は搭乗者の好みに合わせて判定時間の変更を行うことができる。従って、搭乗者は搭乗者の好みに合わせてより快適な遮光制御を得ることができる。
【発明の効果】
【００１８】
本発明によれば、搭乗者がより快適と感じる遮光制御を行う車両用サンバイザを提供することができる。
【発明を実施するための最良の形態】
【００１９】
以下、本発明を具体化した一実施形態を図面に従って説明する。
図１及び図２に示すように、車両用サンバイザ装置１は、車両２の天井部３に設けられている。車両用サンバイザ装置１は、遮光装置４と、受光センサ５と、制御装置６とから構成される。
【００２０】
遮光装置４は、天井部３内に収容固定されている。この遮光装置４は、駆動モータ７と、該駆動モータ７の回転により駆動される２本のアームよりなるリンク機構部８と、該リンク機構部８の先端が連結される移動部材９と、該移動部材９を該移動部材９の両側で案内する２本のガイドレール１０と、移動部材９の前方に固定される長方形状のサンバイザ本体１１とから構成される。遮光装置４は、駆動モータ７が回転すると、その回転がリンク機構部８から移動部材９に伝達され、移動部材９がガイドレール１０に案内されて前後方向に移動することにより、移動部材９とともにサンバイザ本体１１が前後方向に移動し、車室内側で天井部３の前方に設けられた突出孔１２から突出したり退避（格納）されたりするように構成されている。尚、サンバイザ本体１１の突出孔１２からの突出量は、サンバイザ本体１１が天井部３内に格納されている格納状態から最大に突出した状態まで５段階に分けられている。つまり、格納状態を０段階とし、最大に突出している場合のサンバイザ本体１１の突出方向の長さを４等分にして１〜４段階とすることで５段階としている。
【００２１】
前記受光センサ５は、フロントガラス１３の車室内側面の上端部において、搭乗者（本実施形態では運転者）が着席する運転側シート１４の略正面、即ちルームミラー１５とフロントピラー１６の上端との略中央に設置されている。この受光センサ５は、該受光センサ５を中心に、左右方向に１５０°、上下方向に４５°の所定角度範囲Ａ（サンバイザ本体１１にて最低限遮光したい範囲）において、フロントガラス１３に入射してくる入射光（直射日光等）の上下左右の入射角度及び入射強度に応じた入射光検出信号を制御装置６に出力する。
【００２２】
前記遮光装置４によって入射光を遮る遮光制御を行う前記制御装置６は、前記遮光装置４に固定されて該遮光装置４とともに天井部３内に収容されており、図３に示すように、バッテリ１７から電源が供給される。また、前記制御装置６には、所定の入射角度の入射光が所定角度範囲Ａに入射した場合に、その入射角度に対するサンバイザ本体１１の突出量を０〜４段階のどの段階にするかが予め設定された制御マップが格納されている。制御マップに基づいて制御装置６が遮光制御を行うと、サンバイザ本体１１を突出させる方向に移動させる突出動作と、サンバイザ本体を退避して格納させる方向に移動させる退避動作とが行われることにより、０〜４段階のうちで搭乗者の眩惑を防止する最低限の遮光が行われる位置にサンバイザ本体１１が移動される。
【００２３】
制御装置６は、前記受光センサ５が出力する入射光検出信号に基づいて、前記所定角度範囲Ａに入射する入射光の上下方向の入射角度及び左右方向の入射角度を演算により検出する。また、制御装置６は、受光センサ５が出力する入射光検出信号に基づいて所定角度範囲Ａに入射する入射光の入射強度を検出する。そして、制御装置６は、受光センサ５の出力する入射光検出信号に基づいて、検出する入射強度が所定強度以上となる時間が所定の判定時間以上（所定時間内で所定強度以上となる時間の連続時間が所定時間以上）となるという突出動作条件若しくは退避動作条件を満たしているか否かを判断する。この動作条件を満たす場合には、制御装置６は突出動作若しくは退避動作を開始する。制御装置６は、検出した上下及び左右の入射角度の入射光を遮光することができるように遮光制御を行う。つまり、制御装置６は、入射光の入射角度に応じたサンバイザ本体１１の突出量が５段階で設定されている前記制御マップに基づいて好適に遮光が行われるサンバイザ本体１１の突出量を選択し、駆動モータ７を作動させてサンバイザ本体１１を突出方向若しくは退避（格納）方向に作動させて遮光する。逆に、前記動作条件を満たさない場合には、制御装置６は突出動作若しくは退避動作を開始しないため、サンバイザ本体１１は現状の状態を維持する。
【００２４】
尚、運転側シート１４の周辺の所定位置には時間設定手段としての時間調節つまみ１８が設けられている。この時間調節つまみ１８は、例えば１秒間内に所定強度以上となる時間が連続して０．８秒間というように判定時間を搭乗者の好みに合わせて設定することができるものであり、搭乗者がより快適な突出動作及び退避動作を得ることができるように設けられるものである。この時間調節つまみ１８を操作すると、制御装置６に予め設定されていた判定時間が、時間調節つまみ１８によって変更された判定時間に置き換えられる。従って、以後、制御装置６は、変更後の判定時間に従って突出動作条件及び退避動作条件を満たしているか否かの判定を行う。
【００２５】
ここで、制御装置６によってなされている突出動作及び退避動作の動作速度、つまりはサンバイザ本体１１が突出される際の突出速度と、サンバイザ本体１１が退避される際の退避速度との設定について説明する。
【００２６】
サンバイザ本体１１を突出させる突出動作と、サンバイザ本体１１を退避させる退避動作とのそれぞれの動作において、制御装置６は動作開始から動作終了までの期間の動作速度を変化させて遮光制御を行う。具体的には、制御装置６は、動作終了手前から次第に動作速度を小さくして動作を終了するようにサンバイザ本体１１を作動させて遮光制御を行う。
【００２７】
また、所定角度範囲Ａに入射光が入射した場合に、素早く運転者の眩惑を防止するために、制御装置６は、退避動作よりも突出動作の方が大きな動作速度となるようにサンバイザ本体１１を作動させて遮光制御を行う。さらに、制御装置６には、サンバイザ本体１１の突出量に合わせて、サンバイザ本体１１の移動量が多いほど動作速度が大きくなるようにサンバイザ本体１１を作動させて遮光制御を行うように設定がなされている。
【００２８】
走行中、入射光の上下方向の入射角度の変化は小さいが、右折及び左折等により車両２の方向が変わって入射光の左右方向の入射角度が変化すると、急に直射日光等の入射光が所定角度範囲Ａに入射して搭乗者が眩惑され易い。従って、制御装置６は、上下方向に入射角度が変化する場合よりも、左右方向に入射角度が変化する場合の方が大きな動作速度となるようにサンバイザ本体１１を作動させて遮光制御を行う。即ち、制御装置６は入射光の上下方向の入射角度の変化による突出動作及び退避動作よりも、入射光の左右方向の入射角度の変化による突出動作及び退避動作の方がサンバイザ本体１１の動作速度が大きくなるようにサンバイザ本体１１を作動させて遮光制御を行う。
【００２９】
尚、運転側シート１４の周辺の所定位置には速度調節手段としての速度調節つまみ１９が設けられている。初期設定の動作速度では、搭乗者にとって快適な動作速度を得られない場合に、この速度調節つまみ１９を調節して動作速度を搭乗者の好みに合わせて変更することができる。動作速度の変更は、例えば、突出動作及び退避動作において、動作開始から動作終了までの間で全体的に一定の割合で動作速度を大きくしたり、小さくしたりすることができるようになっている。
【００３０】
上記したように、本実施形態によれば、以下の効果を有する。
（１）制御装置６は、突出動作及び退避動作において、動作開始から動作終了までのサンバイザ本体１１の動作速度が変化する遮光制御を行う。即ち、制御装置６は、次第にサンバイザ本体１１の動作速度を小さくして動作を終了する遮光制御を行う。従って、動作終了時にサンバイザ本体１１が停止することにより遮光装置４に発生する振動及び騒音を抑制して、搭乗者にとってより快適な遮光制御を提供することができる。
【００３１】
（２）制御装置６は、退避動作のサンバイザ本体１１の動作速度よりも突出動作のサンバイザ本体１１の動作速度の方が大きくなるように遮光制御を行う。従って、搭乗者の眩惑を防止するために行われる突出動作の動作速度が大きいため、搭乗者の眩惑をより早く防止することができ、搭乗者はより快適な遮光制御を得ることができる。
【００３２】
（３）制御装置６は、直射日光等の入射光の上下方向の入射角度の変化による突出動作及び退避動作よりも、入射光の左右方向の入射角度の変化による突出動作及び退避動作の方がサンバイザ本体１１の動作速度が大きくなるようにサンバイザ本体１１を作動させて遮光制御を行う。従って、走行中に右折及び左折等により車両２の方向が変わって、急に直射日光等の入射光が所定角度範囲Ａに入射しても、入射光の左右方向の入射角度の変化による突出動作は素早く行われる。その結果、車両２の方向が変わることによって急に入射光が所定角度範囲Ａに入射しても、サンバイザ本体１１が素早く動作し、入射光によって搭乗者が眩惑されることを防ぐことができる。
【００３３】
（４）車両用サンバイザ装置１は、搭乗者がサンバイザ本体１１の動作速度の変更を行うことができる速度調節つまみ１９を備えているため、搭乗者は搭乗者の好みに合わせてサンバイザ本体１１の動作速度の変更を行うことができる。従って、搭乗者の好みに合ったより快適な遮光制御を得ることができる。
【００３４】
（５）制御装置６には、突出動作条件及び退避動作条件が設定されている。従って、設定された所定の判定時間以上（所定時間内で所定強度以上となる時間の連続時間が設定時間以上）となる突出動作条件及び退避動作条件を満たした場合のみ、突出動作及び退避動作が行われる。その結果、車両の振動や木漏れ日、さらには建築物等の影響により、入射強度が頻繁に変化する場合でも、突出動作及び退避動作が頻繁に繰り返されることによりサンバイザ本体１１が頻繁に突出動作及び退避動作を繰り返して、搭乗者に不快感を与えることを防ぐことができる。
【００３５】
（６）車両用サンバイザ装置１は、判定時間を変更することができる時間調節つまみ１８を備えているため、搭乗者は、搭乗者の好みに合わせて判定時間の変更を行うことができる。従って、搭乗者は搭乗者の好みに合わせてより快適な遮光制御を得ることができる。
【００３６】
尚、本発明の実施形態は、以下のように変更してもよい。
○上記実施形態では、サンバイザ本体１１の動作開始から動作終了までの期間において、突出動作と退避動作との両方の動作速度が、動作終了の手前から次第に小さくなっていくように遮光制御が行われているがこの限りでない。突出動作及び退避動作のいずれか一方の動作において、動作終了の手前から次第に動作速度が小さくなるように遮光制御を行ってもよい。
【００３７】
○上記実施形態では、制御装置６は、入射光の上下方向の変化による突出動作及び退避動作よりも、入射光の左右方向の入射角度の上下方向の入射角度の変化による突出動作及び退避動作の方がサンバイザ本体１１の動作速度が大きくなるようにサンバイザ本体１１を動作させて遮光制御を行っているがこの限りでない。入射光の上下方向の変化による突出動作と入射光の左右方向の変化による突出動作との動作速度だけが異なるように遮光制御を行ってもよい。また、入射光の上下方向の変化による退避動作と入射光の左右方向の変化による退避動作との動作速度だけが異なるように遮光制御を行ってもよい。
【００３８】
○上記実施形態では、制御装置６は、突出動作及び退避動作の動作速度が、動作終了の手前から次第に小さくなるような遮光制御、及び突出動作と退避動作との動作速度が異なるような遮光制御を行っている。さらに、制御装置６は、入射光の上下方向の入射角度の変化による突出動作及び退避動作よりも、入射光の左右方向の入射角度の変化による突出動作及び退避動作の方がサンバイザ本体１１の動作速度が大きくなるように遮光制御を行っているがこの限りでない。上記３つの遮光制御のうち、いずれか１つの遮光制御を行ってサンバイザ本体１１の動作速度を変化させてもよいし、いずれか２つの遮光制御を行ってサンバイザ本体１１の動作速度を変化させてもよい。
【００３９】
○上記実施形態では、速度調節つまみ１９を調節して、突出動作開始から突出動作終了までの間で全体的に一定の割合で動作速度を大きくしたり、小さくしたりしているが、この限りでない。速度調節つまみ１９を調節して、動作開始時及び動作終了時の動作速度や、左右及び上下の入射角度の変化によって遮光状態が変化される場合の動作速度等を個々に調節できるようにしてもよい。
【００４０】
○上記実施形態では、所定の判定時間内で連続して所定時間以上、突出動作条件及び退避動作条件を満たす場合に、制御装置６は突出動作及び退避動作を開始するがこの限りでない。所定の判定時間内で合計して所定の割合の時間以上、所定時間内で所定強度以上となる時間の占める時間が所定時間以上、突出動作条件及び退避動作条件を満たす場合に、制御装置６が突出動作及び退避動作を開始するように設定してもよい。例えば、１秒間のうちで、所定強度以上となる時間の占める割合が合計で８割以上（合計で０．８秒以上）となった場合に動作条件を満たしたと判断するように設定される。
【００４１】
上記各実施形態から把握できる技術的思想を以下に記載する。
（イ）請求項１に記載の車両用サンバイザ装置であって、前記制御装置は、前記突出動作と前記退避動作とが異なる動作速度となるように前記遮光制御が行われることを特徴とする車両用サンバイザ装置。
【００４２】
このように構成すると、制御装置は、突出動作及び退避動作の少なくとも一方において動作開始から動作終了までの期間の動作速度を変化させて遮光制御を行うだけでなく、突出動作と退避動作とが異なる動作速度となるように遮光制御を行うため、搭乗者はより一層快適な遮光制御を得ることができる。
【００４３】
（ロ）請求項１に記載の車両用サンバイザ装置であって、前記制御装置は、前記入射光の上下方向の入射角度の変化による突出動作と前記入射光の左右方向の入射角度の変化による突出動作との動作速度が異なるような前記遮光制御、及び前記入射光の上下方向の入射角度の変化による退避動作と前記入射光の左右方向の入射角度の変化による退避動作との動作速度が異なるような前記遮光制御のうち少なくとも一方の前記遮光制御を行うことを特徴とする車両用サンバイザ装置。
【００４４】
このように構成すると、制御装置は、突出動作及び退避動作の少なくとも一方の動作開始から動作終了までの期間の動作速度を変化させて遮光制御を行う。そして更に、制御装置は、入射光の上下方向の入射角度の変化による突出動作と左右方向の角度変化による突出動作との動作速度が異なるような遮光制御、及び入射光の上下方向の入射角度の変化による退避動作と左右方向の入射角度の変化による退避動作との動作速度が異なるような遮光制御のうち少なくとも一方を行う。従って、搭乗者はより一層快適な遮光制御を得ることができる。
【００４５】
（ハ）請求項２に記載の車両用サンバイザ装置であって、前記制御装置は、前記入射光の上下方向の入射角度の変化による突出動作と前記入射光の左右方向の入射角度の変化による突出動作との動作速度が異なるような前記遮光制御、及び前記入射光の上下方向の入射角度の変化による退避動作と前記入射光の左右方向の入射角度の変化による退避動作との動作速度が異なるような前記遮光制御のうち少なくとも一方の前記遮光制御を行うことを特徴とする車両用サンバイザ装置。
【００４６】
このように構成すると、制御装置は、突出動作と退避動作とが異なる動作速度となるように遮光制御を行う。そして更に、制御装置は、入射光の上下方向の入射角度の変化による突出動作と左右方向の角度変化による突出動作との動作速度が異なるような遮光制御、及び入射光の上下方向の入射角度の変化による退避動作と左右方向の入射角度の変化による退避動作との動作速度が異なるような遮光制御のうち少なくとも一方を行う。従って、搭乗者はより一層快適な遮光制御を得ることができる。
【００４７】
（ニ）（イ）に記載の車両用サンバイザ装置であって、前記入射光の上下方向の入射角度の変化による突出動作と前記入射光の左右方向の入射角度の変化による突出動作との動作速度が異なるような前記遮光制御、及び前記入射光の上下方向の入射角度の変化による退避動作と前記入射光の左右方向の入射角度の変化による退避動作との動作速度が異なるような前記遮光制御のうち少なくとも一方の前記遮光制御を行うことを特徴とする車両用サンバイザ装置。
【００４８】
このように構成すると、制御装置は、突出動作及び退避動作において、動作開始時と動作終了時との動作速度が異なるように遮光制御を行うだけでなく、突出動作と退避動作とが異なる動作速度となるように遮光制御を行う。そして更に、制御装置は、入射光の上下方向の入射角度の変化による突出動作と左右方向の角度変化による突出動作との動作速度が異なるような遮光制御、及び入射光の上下方向の入射角度の変化による退避動作と左右方向の入射角度の変化による退避動作との動作速度が異なるような遮光制御のうち少なくとも一方を行う。従って、搭乗者は更に快適な遮光制御を得ることができる。
【００４９】
（ホ）請求項１に記載の車両用サンバイザ装置であって、前記制御装置は、次第に動作速度を小さくして動作を終了する前記遮光制御を行うことを特徴とする車両用サンバイザ装置。
【００５０】
このように構成すると、遮光装置が停止する際に発生する振動及び騒音を抑制して、搭乗者にとってより一層快適な遮光制御を提供することができる。
（へ）請求項２に記載の車両用サンバイザ装置であって、前記制御装置は、前記退避動作よりも前記突出動作の動作速度の方が大きくなるように前記遮光制御が行われることを特徴とする車両用サンバイザ装置。
【００５１】
このように構成すると、搭乗者の眩惑を防止するために行われる突出動作の動作速度が大きいため、搭乗者の眩惑をより早く防止することができ、搭乗者はより一層快適な遮光制御を得ることができる。
【００５２】
（ト）請求項３に記載の車両用サンバイザ装置であって、前記制御装置は、前記入射光の上下方向の入射角度の変化による突出動作よりも前記入射光の左右方向の入射角度の変化による突出動作の動作速度の方が大きい遮光制御、及び、前記入射光の上下方向の入射角度の変化による退避動作よりも前記入射光の左右方向の入射角度の変化による退避動作のほうが動作速度が大きい遮光制御のうち少なくとも一方の遮光制御を行うことを特徴とする車両用サンバイザ装置。
【００５３】
このように構成すると、走行中に右折及び左折等により車両の方向が変わって、急に入射光が所定角度範囲に入射しても、遮光装置が素早く作動し、入射光によって搭乗者が眩惑されることを防ぐことができる。
【図面の簡単な説明】
【００５４】
【図１】本実施形態の車両用サンバイザの正面図。
【図２】本実施形態の車両用サンバイザの側面図。
【図３】本実施形態の車両用サンバイザのブロック図。
【符号の説明】
【００５５】
１…車両用サンバイザ装置、４…遮光装置、５…受光センサ、６…制御装置、１１…サンバイザ本体、１８…時間設定手段としての時間調節つまみ、１９…速度調節手段としての速度調節つまみ、Ａ…所定角度範囲。
【図１】
2005132148.tif 000003
【図２】
2005132148.tif 000004
【図３】
2005132148.tif 000005